(57)【特許請求の範囲】
【請求項１】
外壁パネルと、当該外壁パネルの裏面を覆う断熱パネルとからなる複合パネルを、建物の軸組に取り付けられた定規部材に取り付ける複合パネルの取り付け構造において、
前記断熱パネルと、その裏面側にある前記定規部材との間に介在される保護板と、
前記保護板から前記断熱パネルを貫通し前記外壁パネルに到達し、前記保護板を前記外壁パネルに固定する第１のビスと、を有し、
前記外壁パネルは、その裏面に前記第１のビスとは異なる他のビスにより固定されているアンカー板を有し、
前記第１のビスは、前記アンカー板に到達し固定されている、複合パネルの取付構造。
【請求項２】
前記保護板は、前記断熱パネルに突き刺される爪部を有する、請求項１に記載の複合パネルの取付構造。
【請求項３】
前記外壁パネルから前記断熱パネルを貫通し当該断熱パネルの裏面側に突出するボルトと、
前記断熱パネルの裏面側から前記ボルトに取り付けられ、一部で前記定規部材の裏面側を押さえる裏当て板と、
前記裏当て板の裏面側から前記ボルトに締め付けられるナットと、を有し、
前記裏当て板と前記断熱パネルとの間に前記保護板がある、請求項１又は２に記載の複合パネルの取付構造。
【発明の詳細な説明】
【技術分野】
【０００１】
本発明は、複合パネルの取付構造に関する。
【背景技術】
【０００２】
軽量気泡コンクリート（ＡＬＣ）等のコンクリート系の外壁パネルで外壁を構成した建物において、断熱性能の向上を図るため、外壁パネルの裏面に合成樹脂発泡体からなる断熱パネルを貼着し、複合パネルを構成することがある。
【０００３】
複合パネルは、建物の梁などの軸組に取り付けられた金物（定規部材）に対して、外壁パネルの貫通ボルトや埋め込みボルトを用いて取り付けられるが、外壁パネルと定規部材との間に断熱パネルが挟み込まれていると、外壁パネルや定規部材に外力が作用した際に、断熱パネルが定規部材から圧縮力を受けて圧壊する恐れがある。そこで、定規部材のある梁部分には、断熱パネルを外壁パネルの裏面に貼着せずに、梁を迂回するように断熱材を配置することが考えられている。しかし、この場合、施工に手間がかかり、材料費も嵩む。また、当該梁に直交するように他の梁が接合されている部分等、断熱材が連続しない部分が生じ、その部分の断熱性が低下してしまう。
【０００４】
特許文献１には、外壁パネルの全体に断熱パネルを配置し、外壁パネルを固定するボルトの部分に補強部材を設け、補強部材のプレート（鍔状部分）を、断熱パネルと取付金物との間に配置することが記載されている。これにより、断熱パネルの圧壊を抑制することができる。
【先行技術文献】
【特許文献】
【０００５】
【特許文献１】特開２００５−０３６５８３号公報
【発明の概要】
【発明が解決しようとする課題】
【０００６】
しかしながら、上記補強部材は断熱パネルの厚みの変更には対応できず、断熱パネルの厚みの変更に応じて、スリーブの長さの異なる補強部材を用意しなければならない。、汎用性に乏しい。また、断熱パネルの補強される位置がボルト近傍に限定されるので、断熱パネルのボルトから離れた位置に作用する圧縮力には対応しきれない。
【０００７】
本発明はかかる点に鑑みてなされたものであり、厚みの異なる断熱パネルに対応でき、また、断熱パネルのボルト近傍以外の部分に作用する圧縮力に対応し得る複合パネルの取付構造を提供することをその目的とする。
【課題を解決するための手段】
【０００８】
上記目的を達成するための本発明は、外壁パネルと、当該外壁パネルの裏面を覆う断熱パネルとからなる複合パネルを、建物の軸組に取り付けられた定規部材に取り付ける複合パネルの取り付け構造において、前記断熱パネルとその裏面側にある前記定規部材との間に介在される保護板と、前記保護板から前記断熱パネルを貫通し前記外壁パネルに到達し、前記保護板を前記外壁パネルに固定する第１のビスと、を有し、前記外壁パネルは、その裏面に前記第１のビスとは異なる他のビスにより固定されているアンカー板を有し、前記第１のビスは、前記アンカー板に到達し固定されている複合パネルの取付構造である。
【０００９】
本発明によれば、ビスを用いて保護板を外壁パネルに固定するので、外壁パネルに外力が作用しても、保護板と外壁パネルの間の断熱パネルに直接圧縮力が加わることが防止され、断熱パネルの圧壊が防止される。また、ビスのねじ込み深さを調整することで断熱パネルの厚みの変更にも対応でき、汎用性が高い。さらに、保護板の取り付け位置を自由に選択できるので、断熱パネルの様々な部分に作用する圧縮力に対応し得る。また、比較的強度の低い外壁パネルであっても、ビスを外壁パネルに確実に固定できる。
【００１１】
前記保護板は、前記断熱パネルに突き刺される爪部を有していてもよい。かかる場合、保護板の面方向のずれを防止できる。
【００１２】
前記複合パネルの取付構造は、前記外壁パネルから前記断熱パネルを貫通し当該断熱パネルの裏面側に突出するボルトと、前記断熱パネルの裏面側の前記ボルトに取り付けられ、一部で前記定規部材の裏面側を押さえる裏当て板と、前記裏当て板の裏面側から前記ボルトに締め付けられるナットと、を有し、前記裏当て板と前記断熱パネルとの間に前記保護板があってもよい。かかる場合、例えば複合パネルが外気の負圧等により建物の外側に引っ張られ、それに伴い裏当て板が外側に引っ張られた場合であっても、裏当て板と断熱パネルとの間に保護板があるので、それによる断熱パネルの圧壊を防止できる。
【発明の効果】
【００１３】
本発明によれば、異なる厚みの断熱パネルに対応でき、また保護板の取り付け位置も制限されないので、汎用性が向上し、複合パネルの取付構造の生産コストを低減できる。
【図面の簡単な説明】
【００１４】
【図１】複合パネルの取付構造の構成の概略を示す縦断面の説明図である。
【図２】複合パネルの取付構造の構成を示す説明図である。
【図３】複合パネルの取付構造におけるビスを示す説明図である。
【図４】アンカー板を有する複合パネルの取付構造の構成の概略を示す縦断面の説明図である。
【図５】アンカー板を有する複合パネルの取付構造の構成を示す説明図である。
【図６】保護板に爪部を設けた場合の複合パネルの取付構造を示す説明図である。
【発明を実施するための形態】
【００１５】
以下、図面を参照して、本発明の好ましい実施の形態について説明する。図１は、本実施の形態に係る複合パネルの取付構造１の構成の概略を示す縦断面の説明図である。
【００１６】
複合パネルの取付構造１は、例えば図１及び図２に示すように例えば建物の軸組の床梁１０と、定規部材としての定規金物１１と、複合パネル１２と、保護板１３と、裏当て板１４等を有している。
【００１７】
定規金物１１は、例えば縦断面がＬ字形状を有する長尺の部材であり、上下の床梁１０に沿って水平方向に延びている。定規金物１１は、床梁１０に固定された水平片２０と、複合パネル１２が固定される垂直片２１を有している。
【００１８】
複合パネル１２は、外壁パネル３０と、外壁パネル３０の裏面（室内側の面、以下同様）の全面を覆う断熱パネル３１からなる。外壁パネル３０は、例えば軽量気泡コンクリートからなる。
【００１９】
断熱パネル３１は、例えばフェノール樹脂発泡体（フェノールフォーム）の両面にポリエステル不織布を張り合わせたものである。断熱パネル３１の幅寸法及び高さ寸法は、外壁パネル３０の幅寸法及び高さ寸法とほぼ等しく対応している。建物の外壁は、複合パネル１２が上下左右に並べられて構成されている。
【００２０】
保護板１３は、例えば方形状を有し、断熱パネル３１の裏面に設けられ、一部が断熱パネル３１と定規金物１１との間に配置されている。保護板１３は、例えば断熱パネル３１よりも強度が高い鋼板により形成されている。保護板１３は、例えば図３に示すように保護板１３から断熱パネル３１を貫通し外壁パネル３０に達するタッピングビス４０により外壁パネル３０に対し固定されている。このタッピングビス４０により保護板１３と定規金物１１との距離が一定に維持される。タッピングビス４０は、例えば保護板１３の四隅の四カ所に設けられている。
【００２１】
図１に示すように例えば外壁パネル３０には、当該外壁パネル３０の内部から断熱パネル３１及び保護板１３を貫通しその裏面側に突出するボルト５０が固定されている。ボルト５０は、定規金物１１に近い位置に設けられている。
【００２２】
裏当て板１４は、例えば方形状でわずかに屈曲している。裏当て板１４は、一部が定規金物１１の垂直片２１の裏面を覆い、他の部分が保護板１３の裏面を覆って、定規金物１１と保護板１３に跨るようにボルト５０に挿入されている。よって、裏当て板１４と断熱パネル３１との間には保護板１３がある。ボルト５０の裏当て板１４の裏面側には、ワッシャー５１及びナット５２が取り付けられている。このナット５２を締めることによって、複合パネル１２が定規金物１１の垂直片２１に引き寄せられ、床梁１０に固定されている。
【００２３】
本実施の形態にかかる複合パネルの取付構造１によれば、外壁パネル３０や定規金物１１に外力が作用しても、外壁パネル３０と保護板１３がタッピングビス４０によって固定されているため、断熱パネル３１に直接圧縮力が加わることがなく、断熱パネル３１の圧壊が防止される。また、タッピングビス４０は、タッピングビス４０の長さの範囲であれば、断熱パネル３１の厚みが変わっても貫通でき、外壁パネル３０と保護板１３を固定できる。よって断熱パネル３１の厚みの変更に適切に対応でき、汎用性がある。また、断熱パネル３１の裏面内における保護板１３の取り付け位置を自由に選択できるので、圧縮力が作用しやすい位置に保護板１３を設置できる。
【００２４】
また、裏当て板１４と断熱パネル３１との間に保護板１３が設けられているので、例えば複合パネル１２が外気の負圧等により建物の外側に引っ張られ、それに伴い裏当て板１４が外側に引っ張られた場合であっても、裏当て板１４の圧力による断熱パネル３１の圧壊を防止できる。
【００２５】
また、以上の実施の形態で記載した複合パネルの取付機構１において、図４及び図５に示すように外壁パネル３０は、その裏面に固定されたアンカー板６０を有していてもよい。かかる場合、アンカー板６０は、上記保護板１３と同様に方形状を有し、ビス６１によって外壁パネル３０の裏面に固定されている。アンカー板６０は、例えば外壁パネル３０の本体よりも強度が高い鋼板により形成されている。タッピングビス４０は、保護板１３から断熱パネル３１を貫通しアンカー板６０に到達して、保護板１３をアンカー板６０に固定している。
【００２６】
かかる場合、外壁パネル３０の強度が比較的弱くても、タッピングビス４０を外壁パネル３０に確実に固定できる。また、タッピングビス４０が圧力を受けた際にタッピングビス４０が外壁パネル３０内にめり込むことを防止できる。
【００２７】
以上の実施の形態において、図６に示すように保護板１３は、断熱パネル３１に挿入される爪部７０を有していてもよい。かかる場合、例えば爪部７０は、先端が尖ったピン状に形成され、保護板１３の複数個所から断熱パネル３１内に刺さっている。こうすることにより、保護板１３の横ずれを防止できる。
【００２８】
以上、添付図面を参照しながら本発明の好適な実施の形態について説明したが、本発明はかかる例に限定されない。当業者であれば、特許請求の範囲に記載された思想の範疇内において、各種の変更例または修正例に想到し得ることは明らかであり、それらについても当然に本発明の技術的範囲に属するものと了解される。
【００２９】
例えば保護板１３の形状は他の形状であってもよい。また保護板１３の設置位置も上記例に限られない。タッピングビス４０の数や配置も任意に選択できる。
【産業上の利用可能性】
【００３０】
本発明は、複合パネルの取付構造において、多様な厚みの断熱パネルに対応でき、またボルト近傍以外の部分の断熱パネルの圧壊に対応できるようにする際に有用である。
【符号の説明】
【００３１】
１  複合パネルの取付構造
１０  床梁
１１  定規金物
１２  複合パネル
１３  保護板
１４  裏当て板
３０  外壁パネル
３１  断熱パネル
４０  タッピングビス
５０  ボルト
５１  ワッシャー
５２  ナット
６０  アンカー板
７０  爪部
【図１】
0006008489.tif 000002
【図２】
0006008489.tif 000003
【図３】
0006008489.tif 000004
【図４】
0006008489.tif 000005
【図５】
0006008489.tif 000006
【図６】
0006008489.tif 000007